(57)【要約】      （修正有）【課題】すすぎ行程におけるすすぎ回数が少なくても、充分なすすぎ性能を得ることができる洗濯機を提供する。【解決手段】洗い行程、すすぎ行程、脱水行程を実現する制御部を有する洗濯機において、制御部はすすぎ行程のすすぎ回数が１回（４０１）の場合は、すすぎ回数が２回（４１３）の場合のすすぎ行程のすすぎ強度より強くする。また、洗剤投入に関しても、すすぎ行程のすすぎ回数が所定回数より少ない場合は、洗い行程における洗剤濃度を、すすぎ回数が所定回数のときの洗剤の濃度よりも薄くする。【選択図】図４
2011217924.tif 000002
【特許請求の範囲】
【請求項１】
洗い行程、すすぎ行程、脱水行程を実現する制御部を有する洗濯機において、
前記制御部は、前記すすぎ行程のすすぎ回数が所定回数より少ない場合は、前記すすぎ行程におけるすすぎ強度を、前記すすぎ回数が前記所定回数のときのすすぎ強度より強くする、
ことを特徴とする洗濯機。
【請求項２】
前記洗濯機は、前記すずき回数を設定するための操作部と、洗濯物の重量を測定する重量センサーとを有し、
前記制御部は、前記重量センサーによって測定された前記洗濯物の重量に対応したすすぎ回数を予め記憶し、設定された前記すすぎ回数が予め記憶した前記すずき回数より少ない場合に、前記すずき強度を、予め記憶した前記すずき回数に対応した前記すすぎ強度より強くする、
ことを特徴とする請求項１に記載の洗濯機。
【請求項３】
前記制御部は、前記すすぎ回数が前記所定回数より少ない場合における前記すすぎ行程の中間脱水の脱水時間を、前記すすぎ回数が前記所定回数のときの脱水時間より長くする、
ことを特徴とする請求項１に記載の洗濯機。
【請求項４】
前記制御部は、前記すすぎ回数が前記所定回数より少ない場合における前記すすぎ行程の中間脱水の脱水回転数を、前記すすぎ回数が前記所定回数のときの脱水回数より多くする、
ことを特徴とする請求項１に記載の洗濯機。
【請求項５】
前記制御部は、前記すすぎ回数が前記所定回数より少ない場合における前記すすぎ行程のすすぎ水量を、前記すすぎ回数が前記所定回数のときのすすぎ水量より増加させる、
ことを特徴とする請求項１に記載の洗濯機。
【請求項６】
前記制御部は、前記すすぎ回数が前記所定回数より少ない場合における前記すすぎ行程のすすぎ攪拌時間を、前記すすぎ回数が前記所定回数のときのすすぎ攪拌時間より長くする、
ことを特徴とする請求項１に記載の洗濯機。
【請求項７】
前記制御部は、前記すすぎ回数が前記所定回数より少ない場合における前記すすぎ行程のすすぎ攪拌水流を、前記すすぎ回数が前記所定回数のときのすすぎ攪拌水流より強くする、
ことを特徴とする請求項１に記載の洗濯機。
【請求項８】
洗い行程、すすぎ行程、脱水行程を実現する制御部を有する洗濯機において、
前記制御部は、前記すすぎ行程のすすぎ回数が所定回数より少ない場合は、前記洗い行程における洗剤濃度を、前記すすぎ回数が前記所定回数のときの前記洗剤濃度より薄くする、
ことを特徴とする洗濯機。
【発明の詳細な説明】
【技術分野】
【０００１】
本発明の実施形態は、洗濯機に関するものである。
【背景技術】
【０００２】
従来の洗濯機では、洗濯時の洗い行程、すすぎ行程、脱水行程は、ユーザが操作パネルのボタンを操作することで、時間や回数をお好みで設定できる仕様となっている。
【０００３】
一方、近年、各洗剤メーカーより泡切れがよく、すすぎ回数が１回で洗濯ができる洗剤が発売されている。ユーザは、このような洗剤を使用する場合に、すすぎ回数を１回に設定するため、すすぎ回数の設定を簡便に設定できる洗濯機も提案されている。
【先行技術文献】
【特許文献】
【０００４】
【特許文献１】特許第３１６３１９４号公報
【特許文献２】特許第３１８８０１９号公報
【発明の概要】
【発明が解決しようとする課題】
【０００５】
しかしながら、上記洗濯機においてはすすぎ回数を少なく設定した場合においても、通常のすすぎ行程のすすぎ強度と同じ動作を行う。そのため、単純にすすぎ回数を減らしただけでは充分なすすぎ性能を得られない可能性があるという問題点があった。
【０００６】
そこで本発明は上記問題点に鑑み、すすぎ行程におけるすすぎ回数が少なくても、充分なすすぎ性能を得ることができる洗濯機を提供する。
【課題を解決するための手段】
【０００７】
本発明は、洗い行程、すすぎ行程、脱水行程を実現する制御部を有する洗濯機において、前記制御部は、前記すすぎ行程のすすぎ回数が所定回数より少ない場合は、前記すすぎ行程におけるすすぎ強度を、前記すすぎ回数が前記所定回数のときのすすぎ強度より強くする、ことを特徴とする洗濯機である。
【図面の簡単な説明】
【０００８】
【図１】本発明の実施例１の洗濯機の縦断面図である。
【図２】操作パネルの正面図である。
【図３】洗濯機のブロック図である。
【図４】洗濯機の動作状態を示すフローチャートである。
【図５】実施例２の洗濯機のフローチャートである。
【図６】実施例３の洗濯機のフローチャートである。
【図７】実施例４の洗濯機のフローチャートである。
【図８】実施例５の洗濯機のフローチャートである。
【図９】実施例６の洗濯機のフローチャートである。
【発明を実施するための形態】
【０００９】
以下、本発明を回転軸が縦型の全自動洗濯機（以下、単に「洗濯機」という）１に適応した実施例について図面を用いて説明する。
【実施例１】
【００１０】
実施例１における洗濯機１について、図１〜図４に基づいて説明する。
【００１１】
（１）洗濯機１の構造
洗濯機１の構造について、図１の縦断面図に基づいて説明する。
【００１２】
洗濯機１は、矩形箱状の外箱１ａと、この外箱１ａ内に複数の弾性支持体２を介して弾性支持された水槽３と、この水槽３内に回転可能に配置され上部に開口４ａを有する回転槽４とを備えている。弾性支持体２は、ロッド２ａとこのロッド２ａに挿通されたスプリング２ｂとから構成されている。
【００１３】
外箱１ａの上部には、矩形枠状のトップカバー５が固定されている。このトップカバー５の中央部には、筒状の投入口６が形成されている。また、このトップカバー５には、投入口６を開閉する外蓋７が設けられている。このトップカバー５内のうち、投入口６の後部には、不図示の蛇口に接続された給水弁８及び給水ケース９が設けられている。
【００１４】
この水槽３の上部には、中央に開口１０ａ及びこの開口１０ａを開閉する内蓋１０ｂを有する円環状のカバー１０が固定されている。また、水槽３の底部には水槽３内に収容される洗濯液を貯留或いは機外に排出するために排水弁１１を介して排水ホース１２が接続されている。更に、この水槽３の底部の外下面には、駆動手段としてのモータ１３が固定されている。
【００１５】
一方、この回転槽４内の底部には攪拌翼１４が回転可能に設けられている。この攪拌翼１４の回転軸１５は、回転槽４及び水槽３の各底部を水密に貫通しており、その下端部にモータ１３の回転軸が連結されている。また、この回転槽４の底部下面には中空状の槽軸１６が固定され同様に水槽３の底部を水密に貫通している。そして前記した回転軸１５のうち回転槽４の底部よりも下方に突出する部分は前記中空の槽軸１６内に同心となるようにかつ回転可能に挿入されている。この回転槽４は、洗濯槽、脱水槽として機能するものであり、その周壁部には不図示の多数の孔が設けられている。
【００１６】
回転軸１５と槽軸１６との間には不図示のクラッチが介在されている。このクラッチは、脱水行程時には回転軸１５と槽軸１６とを連結する状態及び洗い行程とすすぎ行程時には回転軸１５と槽軸１６との連結を解除する非連結状態に切り換え可能に構成されている。
【００１７】
また、トップカバー５の前面上部には、図２に示す操作パネル１７が設けられている。この操作パネル１７については後から説明する。
【００１８】
トップカバー５内の操作パネル１７の下方には制御部１８が設けられている。
【００１９】
また、洗濯機１は水槽３内の水位を検出する水位センサ１９（図１では不図示）を備えている。この水位センサ１９は、水槽３内の底部に取り付けた不図示のエアトラップからエアチューブを介して水槽３内の水位を空気圧により検知する。また、モータ１３にはロータの回転位置を検出するための回転センサ２０（図１では不図示）が設けられている。制御部１８は、水位センサ１９の出力に基づいて給水弁８の駆動を制御し、回転センサ２０の出力に基づいてモータ１３の駆動を制御する。さらに、洗濯機１は、回転槽４内に収納された洗濯物の重量を検出する重量センサ２１（図１では不図示）を備えている。
【００２０】
（２）操作パネル１７の構成
操作パネル１７の構成について、図２に基づいて説明する。図２は操作パネル１７の正面図である。
【００２１】
操作パネル１７には、電源オンスイッチ２２と電源オフスイッチ２３、洗い時間を設定するための洗い行程ボタン２４、すすぎ回数を設定するためのすすぎ行程ボタン２５、脱水時間を設定するための脱水行程ボタン２６などが設けられている。また、各行程に対応してそれぞれの行程内容を表示する表示部２７，２８，２９も設けられている。
【００２２】
（３）洗濯機１の電気的構成
洗濯機１の電気的構成について、図３のブロック図に基づいて説明する。
【００２３】
上記した制御部１８は、マイクロコンピュータを主体に構成されたものであり、操作パネル１７の各種のスイッチ２２〜２６の押圧操作に応じて設定される行程内容に従い排水弁１１、モータ１３、給水弁８、クラッチ等を駆動する。制御部１８には、図３に示すように、モータ１３の駆動回路１３ａ、排水弁１１の駆動回路１１ａ、給水弁８の駆動回路８ａ、操作パネル１７の各種スイッチ２２〜２６や表示部２７，２８，２９、水位センサ１９、回転センサ２０、重量センサ２１が接続されている。
【００２４】
洗濯機１の洗濯は、洗い行程、すすぎ行程、脱水行程の順番に行われる。ユーザは、操作パネル１７における各行程ボタン２４、２５及び２６を操作することにより、各行程における洗い時間、すすぎ回数、脱水時間を設定できる。
【００２５】
すすぎ行程において、一又は複数回の中間脱水とすすぎ撹拌を組み合わせて行うことができる。すすぎ回数は、すすぎ行程ボタン２５を用いてユーザが設定できる。制御部１８は、各すすぎ撹拌において、水槽３内部に水を貯め、攪拌翼１４を回転させてすすぎ撹拌を行う。
【００２６】
（４）洗濯機１の動作状態
洗濯機１の特にはすすぎ行程を中心に動作状態について、図４のフローチャートに基づいて説明する。
【００２７】
まず、ユーザは、外蓋７を開けて、回転槽４の内部に洗濯物を投入し、操作パネル１７の電源オンスイッチ２２をオンする。この場合に、ユーザは重量センサなどにより自動設定される周知の洗い行程、すすぎ行程、脱水行程をそのまま実行することもできるが、所望により上記したように操作パネル１７のすすぎ行程ボタン２５を操作して、すすぎ回数を設定することができる。また、制御部１８は、すすぎ回数が２回のときのすすぎ行程における中間脱水時間（例えば、６分）を予め記憶している。すなわち、本実施例におけるすすぎ強度は、「中間脱水時間」を意味する。
【００２８】
ステップ４０１において、制御部１８は、すすぎ回数が１回に設定されていればステップ４０３に進み（ＹＥＳの場合）、それ以外であればステップ４０２に進む（ＮＯの場合）。
【００２９】
ステップ４０２において、制御部１８は、すすぎ回数が３回以上に設定されていればステップ４０８に進み（ＹＥＳの場合）、それ以外の場合、すなわち、すすぎ回数が２回に設定されていればステップ４１３に進む（ＮＯの場合）。
【００３０】
ステップ４０３において、制御部１８は、すすぎ回数が１回に設定されているとして、ステップ４０４において、制御部１８は、すすぎ行程におけるすすぎ強度を、すすぎ回数１回用に変更する。
【００３１】
ステップ４０５において、制御部１８が、まず洗い行程を行う。
【００３２】
次いでステップ４０６において、制御部１８は、すすぎ行程を上記変更したすすぎ回数１回用のすすぎ強度で行う。すなわち、すすぎ行程の最初の行程である中間脱水において、中間脱水時間をすすぎ回数が２回の場合の中間脱水時間より長くする。例えば、制御部１８は、中間脱水時間を６分から７分に延長させる。
【００３３】
すすぎ行程が終了するとステップ４０７において、制御部１８が、脱水行程を行い、洗濯行程を終了する。
【００３４】
ステップ４０８において、制御部１８は、すすぎ回数が３回又は４回に設定されているとして、ステップ４０９において、制御部１８は、すすぎ行程におけるすすぎ強度を、すすぎ回数３回以上に変更する。
【００３５】
ステップ４１０において、制御部１８が、まず洗い行程を行う。
【００３６】
ステップ４１１において、制御部１８は、すすぎ行程を上記変更したすすぎ回数３回以上用のすすぎ強度で行う。すなわち、制御部１８は、すすぎ行程における最初の中間脱水、及び、すすぎの間の中間脱水における中間脱水時間を、すすぎ回数が２回の場合の中間脱水時間よりもそれぞれ短縮する。例えば６分から５分にそれぞれ短縮する。
【００３７】
すすぎ行程が終了するとステップ４１２において、制御部１８が、脱水行程を行い、洗濯行程を終了する。
【００３８】
ステップ４１３において、制御部１８は、すすぎ回数が２回に設定されているとして、ステップ４１４において、制御部１８は、すすぎ行程におけるすすぎ強度は変更しない。
【００３９】
ステップ４１５において、制御部１８が、まず洗い行程を行う。
【００４０】
ステップ４１６において、制御部１８は、すすぎ行程を上記設定したすすぎ回数２回用のすすぎ強度で行う。すなわち、洗い行程の後の最初の中間脱水、及び、すすぎの間の中間脱水における中間脱水時間を延長及び短縮もせず、前記したように予め記憶した例えば、６分行う。
【００４１】
すすぎ行程が終了するとステップ４１７において、制御部１８が、脱水行程を行い、洗濯行程を終了する。
【００４２】
（５）効果
本実施例の洗濯機１によれば、すすぎ回数が１回のときには、中間脱水時間を延長することで脱水率を上げ、洗濯物に残る洗剤分を減らして、１回のすすぎでも充分にすすぐことができる。
【００４３】
また、すすぎ回数が３回以上のときには、中間脱水時間を短くして、全体のすすぎ行程の時間を短くすると共に、消費電力量を低く抑えることができる。
【００４４】
（６）変更例
上記実施例では、すすぎ回数１回のときに中間脱水時間を延長したが、これに限らずすすぎ回数が２回のときにも中間脱水時間を延長してもよい。すなわち、すすぎ回数３回を基準に中間脱水時間を延長又は短縮させてもよい。
【実施例２】
【００４５】
次に、図５に基づいて実施例２の洗濯機１について説明する。
【００４６】
本実施例と実施例１の洗濯機１の異なる点は、すすぎ行程におけるすすぎ強度の内容である。以下、図５のフローチャートに基づいてすすぎ行程の設定を中心に説明する。
【００４７】
まず、ユーザは、外蓋７を開けて、回転槽４の内部に洗濯物を投入し、操作パネル１７の電源オンスイッチ２２をオンする。この場合に、ユーザは周知の自動コースを実行することもできるが、上記したように操作パネル１７のすすぎ行程ボタン２５を操作して、すすぎ回数を所望に設定することができる。また、制御部１８は、すすぎ回数が２回のときのすすぎ行程における中間脱水回転数（例えば、８００ｒｐｍ）を予め記憶している。すなわち、本実施例におけるすすぎ強度は、「中間脱水回転数」を意味する。
【００４８】
ステップ５０１において、制御部１８は、すすぎ回数が１回に設定されればステップ５０３に進み（ＹＥＳの場合）、それ以外であればステップ５０２に進む（ＮＯの場合）。
【００４９】
ステップ５０２において、すすぎ回数が３回以上に設定されればステップ５０８に進み（ＹＥＳの場合）、それ以外の場合、すなわち、すすぎ回数が２回のときはステップ５１３に進む（ＮＯの場合）。
【００５０】
ステップ５０３において、制御部１８は、すすぎ回数が１回に設定されているとして、ステップ５０４において、制御部１８は、すすぎ行程におけるすすぎ強度を、すすぎ回数１回用に変更する。
【００５１】
ステップ５０５において、制御部１８が、まず洗い行程を行う。
【００５２】
ステップ５０６において、制御部１８は、すすぎ行程を上記変更したすすぎ回数１回用のすすぎ強度で行う。すなわち、洗い行程の後の中間脱水における中間脱水回転数を、すすぎ回数が２回の場合の回転数よりも高くする。例えば、２回の場合が８００ｒｐｍのときは、９００ｒｐｍまで高くする。
【００５３】
すすぎ行程が終了するとステップ５０７において、制御部１８が、脱水行程を行い、洗濯行程を終了する。
【００５４】
ステップ５０８において、制御部１８は、すすぎ回数が３回又は４回に設定されているとして、ステップ５０９において、制御部１８は、すすぎ行程におけるすすぎ強度を、すすぎ回数３回以上に変更する。
【００５５】
ステップ５１０において、制御部１８が、まず洗い行程を行う。
【００５６】
ステップ５１１において、制御部１８は、すすぎ行程を上記変更したすすぎ回数３回以上用のすすぎ強度で行う。すなわち、洗い行程の後の最初の中間脱水、及び、すすぎの間にある中間脱水の中間脱水回転数を、すすぎ回数が２回の場合の回転数よりも低くする。例えば、８００ｒｐｍから７００ｒｐｍに低くする。
【００５７】
すすぎ行程が終了するとステップ５１２において、制御部１８が、脱水行程を行い、洗濯行程を終了する。
【００５８】
ステップ５１３において、制御部１８は、すすぎ回数が２回に設定されているとして、ステップ５１４において、制御部１８は、すすぎ行程におけるすすぎ強度は変更しない。
【００５９】
ステップ５１５において、制御部１８が、まず洗い行程を行う。
【００６０】
ステップ５１６において、制御部１８は、すすぎ行程を上記設定したすすぎ回数２回用のすすぎ強度で行う。すなわち、洗い行程の後の最初の中間脱水、及び、すすぎの間の中間脱水における中間脱水回転数を延長及び短縮もせず、前記したように予め記憶した例えば、８００ｒｐｍで行う。
【００６１】
ステップ５１７において、制御部１８が、脱水行程を行い、終了する。
【００６２】
本実施例であっても、すすぎ回数が１回のときには中間脱水回転数を上げることで脱水率を上げ、洗濯物に残る洗剤分を減らして、１回のすすぎでも充分にすすぐことができる。
【００６３】
また、すすぎ回数が多いときには、中間脱水回転数を低くして消費電力量を低く抑えることができる。
【実施例３】
【００６４】
次に、図６に基づいて実施例３の洗濯機１について説明する。
【００６５】
本実施例と実施例１の洗濯機１の異なる点は、すすぎ行程におけるすすぎ強度の代わりに洗い水量とすすぎ水量を制御する。以下、図６のフローチャートに基づいてすすぎ行程の設定を中心に説明する。
【００６６】
まず、ユーザは、外蓋７を開けて、回転槽４の内部に洗濯物を投入し、操作パネル１７の電源オンスイッチ２２をオンする。この場合に、ユーザは周知の自動コースを実行することもできるが、上記したように操作パネル１７のすすぎ行程ボタン２５を操作して、すすぎ回数を所望に設定することができる。
【００６７】
ステップ６０１において、重量センサ２１が、回転槽４内に収容された洗濯物の重量を判定する。
【００６８】
ステップ６０２において、制御部１８は、測定した重量に基づいて、すすぎ回数２回のときの洗い行程及びすすぎ行程における洗い水量、すすぎ水量を決定し記憶する。
【００６９】
ステップ６０３において、制御部１８は、すすぎ回数が１回に設定されればステップ６０５に進み（ＹＥＳの場合）、それ以外であればステップ６０４に進む（ＮＯの場合）。
【００７０】
ステップ６０４において、すすぎ回数が３回以上に設定されればステップ６１０に進み（ＹＥＳの場合）、それ以外の場合、すなわち、すすぎ回数が２回のときはステップ６１５に進む（ＮＯの場合）。
【００７１】
ステップ６０５において、制御部１８は、すすぎ回数が１回に設定されているとして、ステップ６０６において、制御部１８は、洗い行程、すすぎ行程における各水量を、すすぎ回数１回用に変更する。
【００７２】
ステップ６０７において、制御部１８が、まず洗い行程を行う。このときに洗い水量を、すすぎ回数が２回のときの洗い水量より５リットル増量する。制御部１８は、この水量の変化を水位センサ１９で検知する。
【００７３】
次いでステップ６０８において、制御部１８が、すすぎ行程を行う。このときにすすぎ水量を、すすぎ回数が２回のときのすすぎ水量より５リットル増量する。制御部１８は、この水量の変化を水位センサ１９で検知する。
【００７４】
すすぎ行程が終了するとステップ６０９において、制御部１８が、脱水行程を行い、洗濯行程を終了する。
【００７５】
ステップ６１０において、制御部１８は、すすぎ回数が３回又は４回に設定されているとして、ステップ６１１において、制御部１８は、洗い行程、すすぎ行程における各水量を、すすぎ回数３回以上に変更する。
【００７６】
ステップ６１２において、制御部１８が、まず洗い行程を行う。このときに洗い水量を、すすぎ回数が２回のときの洗い水量より５リットル減量する。制御部１８は、この水量の変化を水位センサ１９で検知する。
【００７７】
ステップ６１３において、制御部１８が、すすぎ行程を行う。このときにすすぎ水量を、すすぎ回数が２回のときのすすぎ水量より５リットル減量する。制御部１８は、この水量の変化を水位センサ１９で検知する。
【００７８】
すすぎ行程が終了するとステップ６１４において、制御部１８が、脱水行程を行い、洗濯行程を終了する。
【００７９】
ステップ６１５において、制御部１８は、すすぎ回数が２回に設定されているとして、ステップ６１６において、制御部１８は、洗い行程とすすぎ行程における各水量は前記した予め記憶した水量を変更しない。
【００８０】
ステップ６１７において、制御部１８が、まず洗い行程を行う。このときに洗い水量を、すすぎ回数が２回のときの洗い水量で行う。
【００８１】
ステップ６１８において、制御部１８が、すすぎ行程を行う。このときにすすぎ水量を、すすぎ回数が２回のときのすすぎ水量で行う。
【００８２】
すすぎ行程が終了するとステップ６１９において、制御部１８が、脱水行程を行い、洗濯行程が終了する。
【００８３】
本実施例によれば、すすぎ回数が１回のときには洗い行程の洗い水量を多くすることで、洗剤濃度を薄くし、また、すすぎ行程におけるすすぎ水量を多くすることで１回のすすぎでも充分にすすぐことができる。
【００８４】
また、すすぎ回数が３回及び４回のときには、洗い行程及びすすぎ行程の水量を少なくして、水量を削減することができる。
【実施例４】
【００８５】
次に、実施例４の洗濯機１について、図７に基づいて説明する。
【００８６】
本実施例と実施例３との相違は、実施例３では洗い行程とすすぎ行程における水量を変更したが、本実施例ではすすぎ行程のすすぎ水量のみを変更する。以下、図７のフローチャートに基づいてすすぎ行程の設定を中心に説明する。
【００８７】
まず、ユーザは、外蓋７を開けて、回転槽４の内部に洗濯物を投入し、操作パネル１７の電源オンスイッチ２２をオンする。この場合に、ユーザは周知の自動コースを実行することもできるが、上記したように操作パネル１７のすすぎ行程ボタン２５を操作して、すすぎ回数を所望に設定することができる。
【００８８】
ステップ７０１において、重量センサ２１が、回転槽４内に収容された洗濯物の重量を判定する。
【００８９】
ステップ７０２において、制御部１８は、測定した重量に基づいて、すすぎ回数２回のときのすすぎ行程におけるすすぎ水量を決定し記憶する。
【００９０】
ステップ７０３において、制御部１８は、すすぎ回数が１回に設定されればステップ７０５に進み（ＹＥＳの場合）、それ以外であればステップ７０４に進む（ＮＯの場合）。
【００９１】
ステップ７０４において、すすぎ回数が３回以上に設定されればステップ７１０に進み（ＹＥＳの場合）、それ以外の場合、すなわち、すすぎ回数が２回のときはステップ７１５に進む（ＮＯの場合）。
【００９２】
ステップ７０５において、制御部１８は、すすぎ回数が１回に設定されているとして、ステップ７０６において、制御部１８は、すすぎ行程における水量を、すすぎ回数１回用に変更する。
【００９３】
ステップ７０７において、制御部１８が、まず洗い行程を行う。
【００９４】
ステップ７０８において、制御部１８が、すすぎ行程を行う。このときにすすぎ水量を、すすぎ回数が２回のときのすすぎ水量より５リットル増量する。制御部１８は、この水量の変化を水位センサ１９で検知する。
【００９５】
すすぎ行程が終了するとステップ７０９において、制御部１８が、脱水行程を行い、洗濯行程を終了する。
【００９６】
ステップ７１０において、制御部１８は、すすぎ回数が３回又は４回に設定されているとして、ステップ７１１において、制御部１８は、すすぎ行程における水量を、すすぎ回数３回以上用に変更する。
【００９７】
ステップ７１２において、制御部１８が、まず洗い行程を行う。
【００９８】
ステップ７１３において、制御部１８が、すすぎ行程を行う。このときにすすぎ水量を、すすぎ回数が２回のときのすすぎ水量より５リットル減量する。制御部１８は、この水量の変化を水位センサ１９で検知する。
【００９９】
すすぎ行程が終了するとステップ７１４において、制御部１８が、脱水行程を行い、洗濯行程を終了する。
【０１００】
ステップ７１５において、制御部１８は、すすぎ回数が２回に設定されているとして、ステップ７１６において、制御部１８は、すすぎ行程におけるすすぎ水量は変更しない。
【０１０１】
ステップ７１７において、制御部１８が、洗い行程を行う。
【０１０２】
ステップ７１８において、制御部１８が、すすぎ行程を行う。このときにすすぎ水量を、すすぎ回数が２回のときの前記した予め記憶したすすぎ水量で行う。
【０１０３】
すすぎ行程が終了するとステップ７１９において、制御部１８が、脱水行程を行い、洗濯行程を終了する。
【０１０４】
本実施例であっても、すすぎ回数が１回のときにはすすぎ水量を多くすることで、１回のすすぎでも充分にすすぐことができる。また、すすぎ回数が３回、４回のときには、すすぎ水量を少なくして水量を削減できる。
【実施例５】
【０１０５】
次に、実施例５の洗濯機１について、図８に基づいて説明する。
【０１０６】
本実施例と実施例１の洗濯機１の異なる点は、すすぎ行程におけるすすぎ強度の内容である。以下、図８のフローチャートに基づいて説明する。
【０１０７】
まず、ユーザは、外蓋７を開けて、回転槽４の内部に洗濯物を投入し、操作パネル１７の電源オンスイッチ２２をオンする。この場合に、ユーザは、上記したように操作パネル１７のすすぎ行程ボタン２５を操作して、すすぎ回数を設定する。また、制御部１８は、すすぎ回数が２回のときのすすぎ行程における攪拌翼１４を回転させるすすぎ攪拌時間（例えば、２分）を予め記憶している。すなわち、本実施例におけるすすぎ強度は、「すすぎ攪拌時間」を意味する。
【０１０８】
ステップ８０１において、制御部１８は、すすぎ回数が１回に設定されればステップ８０３に進み（ＹＥＳの場合）、それ以外であればステップ８０２に進む（ＮＯの場合）。
【０１０９】
ステップ８０２において、すすぎ回数が３回以上に設定されればステップ８０８に進み（ＹＥＳの場合）、それ以外の場合、すなわち、すすぎ回数が２回のときはステップ８１３に進む（ＮＯの場合）。
【０１１０】
ステップ８０３において、制御部１８は、すすぎ回数が１回に設定されているとして、ステップ８０４において、制御部１８は、すすぎ行程におけるすすぎ強度を、すすぎ回数１回用に変更する。
【０１１１】
ステップ８０５において、制御部１８が、まず洗い行程を行う。
【０１１２】
ステップ８０６において、制御部１８は、すすぎ行程を上記変更したすすぎ回数１回用のすすぎ強度で行う。すなわち、洗い行程の後のすすぎ行程のすすぎ攪拌時間を、すすぎ回数が２回の場合のすすぎ攪拌時間よりも延長する。例えば、２回の場合が２分のときは、２．５分に延長する。
【０１１３】
ステップ８０６において、すすぎ回数が３回又は４回に設定されているため、すすぎ行程におけるすすぎ強度を弱めるように変更する。
【０１１４】
すすぎ行程が終了するとステップ８０７において、制御部１８が、脱水行程を行い、洗濯行程を終了する。
【０１１５】
ステップ８０８において、制御部１８は、すすぎ回数が３回又は４回に設定されているとして、ステップ８０９において、制御部１８は、すすぎ行程におけるすすぎ強度を、すすぎ回数３回以上に変更する。
【０１１６】
ステップ８１０において、制御部１８が、まず洗い行程を行う。
【０１１７】
ステップ８１１において、制御部１８は、すすぎ行程を上記変更したすすぎ回数３回以上用のすすぎ強度で行う。すなわち、各回のすすぎ攪拌時間を、すすぎ回数が２回の場合のすすぎ攪拌時間よりもそれぞれ短縮する。例えば、２分から１．５分に短縮する。
【０１１８】
すすぎ行程が終了するとステップ８１２において、制御部１８が、脱水行程を行い、洗濯行程を終了する。
【０１１９】
ステップ８１３において、制御部１８は、すすぎ回数が２回に設定されているとして、ステップ８１４において、制御部１８は、すすぎ行程におけるすすぎ強度は変更しない。
【０１２０】
ステップ８１５において、制御部１８が、洗い行程を行う。
【０１２１】
ステップ８１６において、制御部１８は、すすぎ行程を上記設定したすすぎ回数２回用のすすぎ強度で行う。すなわち、２回のすすぎ攪拌時間を延長及び短縮もせず、予め記憶した時間、例えば、２分で行う。
【０１２２】
すすぎ行程が終了するとステップ８１７において、制御部１８が、脱水行程を行い、洗濯行程を終了する。
【０１２３】
本実施例によれば、すすぎ回数が１回のときにはすすぎ攪拌時間を延長することで、１回のすすぎでも充分にすすぐことができる。また、すすぎ回数が多いときにはすすぎ攪拌時間を短くすることで、すすぎ行程の運転時間を短くすると共に、消費電力量を低く抑えることができる。
【実施例６】
【０１２４】
次に、実施例６の洗濯機１について、図９に基づいて説明する。
【０１２５】
本実施例と実施例１の洗濯機１の異なる点は、すすぎ行程におけるすすぎ強度の内容である。以下、図９のフローチャートに基づいてすすぎ行程の設定を中心に説明する。
【０１２６】
まず、ユーザは、外蓋７を開けて、回転槽４の内部に洗濯物を投入し、操作パネル１７の電源オンスイッチ２２をオンする。この場合に、ユーザは周知の自動コースを実行することもできるが、上記したように操作パネル１７のすすぎ行程ボタン２５を操作して、すすぎ回数を所望に設定することができる。また、制御部１８は、すすぎ回数が２回のときのすすぎ行程におけるすすぎ攪拌水流の発生方法（例えば、攪拌翼１４を回転させるオン時間を１．５秒、停止時間を０．５秒と記憶している）を予め記憶している。すなわち、本実施例におけるすすぎ強度は、「すすぎ攪拌水流」を意味する。
【０１２７】
ステップ９０１において、制御部１８は、すすぎ回数が１回に設定されればステップ９０３に進み（ＹＥＳの場合）、それ以外であればステップ９０２に進む（ＮＯの場合）。
【０１２８】
ステップ９０２において、すすぎ回数が３回以上に設定されればステップ９０８に進み（ＹＥＳの場合）、それ以外の場合、すなわち、すすぎ回数が２回のときはステップ９１３に進む（ＮＯの場合）。
【０１２９】
ステップ９０３において、制御部１８は、すすぎ回数が１回に設定されているとして、ステップ９０４において、制御部１８は、すすぎ行程におけるすすぎ強度を、すすぎ回数１回用に変更する。
【０１３０】
ステップ９０５において、制御部１８が、まず洗い行程を行う。
【０１３１】
ステップ９０６において、制御部１８は、すすぎ行程を上記変更したすすぎ回数１回用のすすぎ強度で行う。すなわち、洗い行程の後のすすぎ行程のすすぎ攪拌水流を、すすぎ回数が２回の場合のすすぎ攪拌水流よりも強くする。例えば、攪拌翼１４のオン時間を１．５秒から１．８秒に延長し、停止時間を０．５秒から０．２秒に短縮する。これによって、攪拌翼１４の回転によって発生するすすぎ攪拌水流が強くなる。
【０１３２】
ステップ９０６において、すすぎ回数が３回又は４回に設定されているため、すすぎ行程におけるすすぎ強度を弱めるように変更する。
【０１３３】
すすぎ行程が終了するとステップ９０７において、制御部１８が、脱水行程を行い、洗濯行程を終了する。
【０１３４】
ステップ９０８において、制御部１８は、すすぎ回数が３回又は４回に設定されているとして、ステップ９０９において、制御部１８は、すすぎ行程におけるすすぎ強度を、すすぎ回数３回以上に変更する。
【０１３５】
ステップ９１０において、制御部１８が、まず洗い行程を行う。
【０１３６】
ステップ９１１において、制御部１８は、すすぎ行程を上記変更したすすぎ回数３回以上用のすすぎ強度で行う。すなわち、各回のすすぎ攪拌水流を、すすぎ回数が２回の場合のすすぎ攪拌水流より弱くする。例えば、攪拌翼１４のオン時間を１秒に短縮し、攪拌翼１４のオフ時間を０．５秒から１秒に延長する。これによって、攪拌翼１４の回転によって発生するすすぎ攪拌水流が弱くなる。
【０１３７】
すすぎ行程が終了するとステップ９１２において、制御部１８が、脱水行程を行い、洗濯行程を終了する。
【０１３８】
ステップ９１３において、制御部１８は、すすぎ回数が２回に設定されているとして、ステップ９１４において、制御部１８は、すすぎ行程におけるすすぎ強度は変更しない。
【０１３９】
ステップ９１５において、制御部１８が、洗い行程を行う。
【０１４０】
ステップ９１６において、制御部１８は、すすぎ行程を上記設定したすすぎ回数２回用のすすぎ強度で行う。すなわち、２回のすすぎ攪拌水流を予め記憶したまま変更しない。例えば、攪拌翼１４のオン時間が１．５秒、オフ時間が０．５秒のままとする。
【０１４１】
すすぎ行程が終了するとステップ９１７において、制御部１８が、脱水行程を行い、洗濯行程を終了する。
【０１４２】
本実施例によれば、すすぎ回数が１回のときにはすすぎ攪拌水流を強くすることで、１回のすすぎでも充分にすすぐことができる。また、すすぎ回数が多いときにはすすぎ攪拌水流を弱くすることで消費電力量を低く抑えることができる。
【変更例】
【０１４３】
本発明は上記各実施例に限らず、その主旨を逸脱しない限り種々に変更することができる。
【０１４４】
上記各実施例では、回転軸が縦型の全自動洗濯機１について説明したが、これに代えて回転軸が横向きのドラム式洗濯機にも適用することができる。
【０１４５】
また、上記各実施例では、すすぎ回数が２回の場合を基準にすすぎ回数が１回ではすすぎ強度を強め、すすぎ回数が３回以上ではすすぎ強度を弱めたが、これに限らず、例えば、すすぎ回数が１回と２回の２段階の場合には、すすぎ回数が１回のときはすすぎ強度を強、すすぎ回数が２回のときはすすぎ強度を弱に設定してもよい。
【符号の説明】
【０１４６】
１  洗濯機
１７  操作パネル
１８  制御部
１９  水位センサ
２１  重量センサ
２４  洗い行程ボタン
２５  すすぎ行程ボタン
２６  脱水行程ボタン
【図１】
2011217924.tif 000003
【図２】
2011217924.tif 000004
【図３】
2011217924.tif 000005
【図４】
2011217924.tif 000006
【図５】
2011217924.tif 000007
【図６】
2011217924.tif 000008
【図７】
2011217924.tif 000009
【図８】
2011217924.tif 000010
【図９】
2011217924.tif 000011